(57)【要約】【課題】  カードの処理方法を変えることで収納場所に収納したカードが満杯の状態であってもカードに価値付けられた有価価値を利用できるようにした記録媒体処理装置および記録媒体処理方法を提供する。【解決手段】  挿入されたカードに記憶された情報を読み取る識別部と有価価値が価値付けられていない一般カードを収納する収納部から構成され、収納部に収納された一般カードが満杯である状態においては識別部で挿入されたカードからカードの種類を識別する情報を読み取り、一般カードである場合に返却し、会員カードである場合にその会員カードに記憶された有価価値を読み取ることで遊技機の利用を可能とする。【選択図】図１
2007037702.tif 000002
【特許請求の範囲】
【請求項１】
価値情報が関連付けられる会員用記録媒体および一般用記録媒体を受け付けるとともに、複数の一般用記録媒体をスタック可能なスタック部を有し、挿入されている一般用記録媒体に残価値がある状態で精算が指示されると前記残価値が関連付けられた一般用記録媒体を払い出し、挿入された一般用記録媒体に残価値がない場合は、一般用記録媒体を前記スタック部にスタックするスタック式の記録媒体処理装置において、
前記スタック部の前段に配置され、記録媒体に記録された情報を読み取る情報読取部と、
前記情報読取部によって読み取られた情報の内容に基づいて、当該記録媒体が会員用記録媒体か一般用記録媒体かを判別する記録媒体種別判定手段と、
前記記録媒体種別判定手段により前記記録媒体が一般用記録媒体であると判定された場合には、該一般用記録媒体を前記スタック部まで移動して該一般用記録媒体に関連付けられた残価値に基づき遊技媒体の貸し出しを行い、前記記録媒体種別判定手段により前記記録媒体が会員用記録媒体であると判定された場合は、該会員用記録媒体が情報読取部にある状態で該会員用記録媒体に関連付けられた残価値に基づき遊技媒体の貸し出しを行う遊技媒体貸出制御手段と
を具備することを特徴とする記録媒体処理装置。
【請求項２】
貨幣を受け入れ、該貨幣の真偽および金額を識別する貨幣処理手段を具備し、
前記情報読取部に前記会員用記録媒体がある状態で、前記貨幣処理手段が現金を受け付けた場合は、前記貨幣処理手段で識別された貨幣の額を前記会員用記録媒体に関連付けられた残価値に加算し、前記情報読取部に前記会員用記録媒体がない状態で、前記貨幣処理手段が貨幣を受け付けた場合は、前記貨幣処理手段で識別された貨幣の額を前記スタック部内の一般用記録媒体に関連付けられた残価値に加算する価値処理手段と
を具備することを特徴とする請求項１記載の記録媒体処理装置。
【請求項３】
前記スタック部にスタックされた一般用記録媒体が満杯状態にあることを検知する満杯検知手段と、
前記満杯検知手段により前記スタック部の満杯状態が検知されると、その旨を外部へ警告する満杯警告手段と
を具備することを特徴とする請求項１または２記載の記録媒体処理装置。
【請求項４】
前記スタック部にスタックされた一般用記録媒体が満杯の状態にあることを検知する満杯検知手段と、
エラー状態の発生を外部へ報知するエラー報知手段と
を更に具備し、
前記遊技媒体貸出制御手段は、
前記満杯検知手段により満杯状態であることが検知された状態で新たな記録媒体が挿入されたときに、
当該記録媒体が会員用記録媒体であると判定された場合は処理を継続し、
当該記録媒体が一般用記録媒体であると判定された場合は、エラー状態であると判断して前記エラー報知手段を作動させるとともに、当該記録媒体を返却する
ことを特徴とする請求項１または２のいずれかに記載の記録媒体処理装置。
【請求項５】
前記満杯検知手段により前記スタック部の満杯状態が検知されると、その旨を外部へ警告する満杯警告手段と
を具備することを特徴とする請求項４記載の記録媒体処理装置。
【請求項６】
価値情報が関連付けられる会員用記録媒体および一般用記録媒体を受け付けるとともに、複数の一般用記録媒体をスタック可能なスタック部を有し、挿入されている一般用記録媒体に残価値がある状態で精算が指示されると前記残価値が関連付けられた一般用記録媒体を払い出し、挿入された一般用記録媒体に残価値がない場合は、一般用記録媒体を前記スタック部にスタックするスタック式の記録媒体処理装置における記録媒体処理方法において、
前記スタック部の前段に配置され、記録媒体に記録された情報を情報読取部で読み取り、
前記情報読取部によって読み取られた情報の内容に基づいて、当該記録媒体が会員用記録媒体か一般用記録媒体かを記録媒体種別判定手段で判別し、
前記記録媒体種別判定手段により前記記録媒体が一般用記録媒体であると判定された場合には、該一般用記録媒体を前記スタック部まで移動して該一般用記録媒体に関連付けられた残価値に基づき遊技媒体の貸し出しを行い、前記記録媒体種別判定手段により前記記録媒体が会員用記録媒体であると判定された場合は、該会員用記録媒体が情報読取部にある状態で該会員用記録媒体に関連付けられた残価値に基づき遊技媒体の貸し出しを遊技媒体貸出制御手段で行う
ことを特徴とする記録媒体処理方法。
【発明の詳細な説明】
【技術分野】
【０００１】
本発明は、カードに価値付けられた有価価値に基づいて遊技媒体の貸し出しを行う記録媒体処理装置および記録媒体処理方法に関し、特に、有価価値が価値付けられたカードを効率よく利用できるようにした記録媒体処理装置および記録媒体処理方法に関する。
【背景技術】
【０００２】
一般に、パチンコ台やスロットマシンなどの遊技機の利用に際して貸し出されるパチンコ玉やメダルなどの遊技媒体は、遊技施設内に設けられたカード発行機に所定の金額の現金を投入することにより該遊技媒体を借り受ける際に基準となる有価価値が価値付けられたカードの発行を受け、このカードを貸出処理機に挿入することにより該有価価値の所定の貸出単位に基づいて遊技媒体の貸し出しを受けることができる。
【０００３】
また、現金（特に、紙幣）を貸出処理機に投入することによっても遊技媒体の貸し出しを受けることもできる。
【０００４】
ここに示す有価価値は、投入された現金を所定のレートで貸出単位である「度数」に変換した価値を示すものであって、貸出単位に基づいて遊技媒体の貸し出される。例えば、１００円に対して「１度数」を割り当てた場合、３千円の金額が投入されると、カードの有価価値として「３０度数」が価値付けられる。
【０００５】
さらに、遊技施設が取り扱うカードの種類には、遊技施設の会員として登録された遊技客が保持する会員カードと、会員として登録されていない一般の遊技客が保持する非会員カード（以下、「一般カード」という）がある。会員カードの場合、会員登録時に発行されており、遊技施設内に設けられたカード発行機に会員カードを挿入後、現金を投入することにより会員カードに価値付けられた有価価値が更新され、再利用することが可能である。
【０００６】
それに対して、一般カードは、会員カードとは異なり、価値付けられた有価価値分だけが利用可能である。もちろん、同日の範囲内で一般カードの再利用を可能にしてもよい。この場合、一般に売上データの集計、利用状況の把握という観点から日付を跨いで利用することができない。
【０００７】
すなわち、一般カードの場合、遊技機の利用によりカードに価値付けられた有価価値がなくなれば、カードを返却する必要がなくなるので貸出処理機で回収する。それに対して、現金の投入により遊技機の利用を行う遊技客が投入金額の有価価値に相当する全ての遊技媒体の貸し出しを受けることなく遊技を終了する際には、その差分の有価価値をあらかじめ貸出処理機で保持した一般カードに価値付けて返却する。
【０００８】
このため、貸出処理機には回収した一般カードを収納する収納場所が必要であるほか、差分の有価価値を価値付けて遊技客に返却する一般カードの収納場所が必要となる。
【０００９】
貸出処理機はパチンコ台やスロットマシンなどの台間に設置されており、そのサイズが小さなものであるため回収した一般カードの収納場所と返却する一般カードの収納場所を同一箇所とし、回収した一般カードを差分の有価価値を価値付けて返却する一般カードとして再利用している。
【００１０】
装置全体のコンパクト化を図りつつ、薄板状記録媒体（カード）の収納量を増加させ、円滑に搬送できるようにした従来技術として、特許文献１に開示されたものがある。
【００１１】
この特許文献１に開示された従来技術においては、薄板状記録媒体を確実に搬送するために搬送機構に接触させるなどの補助手段を設け、さらに薄板状記録媒体にデータの書込み及び消去並びに読取りを行う記録手段を設けて制御することにより可能にしている。
【特許文献１】特開平０９−８１８０１
【発明の開示】
【発明が解決しようとする課題】
【００１２】
しかしながら、特許文献１に示された従来技術においては、短時間の間に回収したカードが返却したカードよりも多くなり、その数がカードの収納容量を超過した場合には、通常の運用の範囲内であってもカードを収容することができないことでエラーが発生し、利用できなくなってしまうという問題がある。
【００１３】
そこで、本発明は、カードの処理方法を変えることで収納場所に収納したカードが満杯の状態であってもカードに価値付けられた有価価値を利用できるようにした記録媒体処理装置および記録媒体処理方法を提供することを目的とする。
【課題を解決するための手段】
【００１４】
上記目的を達成するため、請求項１の発明は、価値情報が関連付けられる会員用記録媒体および一般用記録媒体を受け付けるとともに、複数の一般用記録媒体をスタック可能なスタック部を有し、挿入されている一般用記録媒体に残価値がある状態で精算が指示されると前記残価値が関連付けられた一般用記録媒体を払い出し、挿入された一般用記録媒体に残価値がない場合は、一般用記録媒体を前記スタック部にスタックするスタック式の記録媒体処理装置において、前記スタック部の前段に配置され、記録媒体に記録された情報を読み取る情報読取部と、前記情報読取部によって読み取られた情報の内容に基づいて、当該記録媒体が会員用記録媒体か一般用記録媒体かを判別する記録媒体種別判定手段と、前記記録媒体種別判定手段により前記記録媒体が一般用記録媒体であると判定された場合には、該一般用記録媒体を前記スタック部まで移動して該一般用記録媒体に関連付けられた残価値に基づき遊技媒体の貸し出しを行い、前記記録媒体種別判定手段により前記記録媒体が会員用記録媒体であると判定された場合は、該会員用記録媒体が情報読取部にある状態で該会員用記録媒体に関連付けられた残価値に基づき遊技媒体の貸し出しを行う遊技媒体貸出制御手段とを具備することを特徴とする。
【００１５】
また、請求項２の発明は、請求項１の発明において、貨幣を受け入れ、該貨幣の真偽および金額を識別する貨幣処理手段を具備し、前記情報読取部に前記会員用記録媒体がある状態で、前記貨幣処理手段が現金を受け付けた場合は、前記貨幣処理手段で識別された貨幣の額を前記会員用記録媒体に関連付けられた残価値に加算し、前記情報読取部に前記会員用記録媒体がない状態で、前記貨幣処理手段が貨幣を受け付けた場合は、前記貨幣処理手段で識別された貨幣の額を前記スタック部内の一般用記録媒体に関連付けられた残価値に加算する価値処理手段とを具備することを特徴とする。
【００１６】
また、請求項３の発明は、請求項１または２の発明において、前記スタック部にスタックされた一般用記録媒体が満杯状態にあることを検知する満杯検知手段と、前記満杯検知手段により前記スタック部の満杯状態が検知されると、その旨を外部へ警告する満杯警告手段とを具備することを特徴とする。
【００１７】
また、請求項４の発明は、請求項１または２の発明において、前記スタック部にスタックされた一般用記録媒体が満杯の状態にあることを検知する満杯検知手段と、エラー状態の発生を外部へ報知するエラー報知手段とを更に具備し、前記遊技媒体貸出制御手段は、前記満杯検知手段により満杯状態であることが検知された状態で新たな記録媒体が挿入されたときに、当該記録媒体が会員用記録媒体であると判定された場合は処理を継続し、当該記録媒体が一般用記録媒体であると判定された場合は、エラー状態であると判断して前記エラー報知手段を作動させるとともに、当該記録媒体を返却することを特徴とする。
【００１８】
また、請求項５の発明は、請求項４の発明において、前記満杯検知手段により前記スタック部の満杯状態が検知されると、その旨を外部へ警告する満杯警告手段とを具備することを特徴とする。
【００１９】
また、請求項６の発明は、価値情報が関連付けられる会員用記録媒体および一般用記録媒体を受け付けるとともに、複数の一般用記録媒体をスタック可能なスタック部を有し、挿入されている一般用記録媒体に残価値がある状態で精算が指示されると前記残価値が関連付けられた一般用記録媒体を払い出し、挿入された一般用記録媒体に残価値がない場合は、一般用記録媒体を前記スタック部にスタックするスタック式の記録媒体処理装置における記録媒体処理方法において、前記スタック部の前段に配置され、記録媒体に記録された情報を情報読取部で読み取り、前記情報読取部によって読み取られた情報の内容に基づいて、当該記録媒体が会員用記録媒体か一般用記録媒体かを記録媒体種別判定手段で判別し、前記記録媒体種別判定手段により前記記録媒体が一般用記録媒体であると判定された場合には、該一般用記録媒体を前記スタック部まで移動して該一般用記録媒体に関連付けられた残価値に基づき遊技媒体の貸し出しを行い、前記記録媒体種別判定手段により前記記録媒体が会員用記録媒体であると判定された場合は、該会員用記録媒体が情報読取部にある状態で該会員用記録媒体に関連付けられた残価値に基づき遊技媒体の貸し出しを遊技媒体貸出制御手段で行うことを特徴とする。
【発明の効果】
【００２０】
本発明によれば、一般カードに価値付けられた有価価値の読み取り後、該一般カードを収納位置に移動させて玉貸しを行い、収納位置が満杯である場合であっても会員カードに価値付けられた有価価値の読み取りを行えるようにしたので、収納位置に移動されない会員カードによる玉貸しが可能になるという効果を奏する。
【００２１】
また、これにより遊技客による遊技機の継続利用が可能となるため、遊技客の利便性が向上するだけでなく遊技機の稼働率向上により売上金額の増加にも繋がるという効果をも奏する。
【発明を実施するための最良の形態】
【００２２】
以下、本発明に係わる記録媒体処理装置および記録媒体処理方法の一実施例を添付図面を参照して詳細に説明する。
【００２３】
なお、本願発明の実施例では、遊技機としてパチンコ台、遊技媒体としてパチンコ玉を例にして説明するが、パチンコ台に限られることなく、スロットマシンなどの遊技機に適用してもよい。この場合、遊技媒体はメダルとなる。
【実施例】
【００２４】
図１は、この発明に係わるカード処理機およびカード処理方法を適用して構成した遊技媒体貸出システムのシステム構成図である。
【００２５】
図１において、この遊技媒体貸出システムは、遊技施設１０（以下、「パチンコ店１０」と示す）で実現され、カード発行機（１０１−Ａ、・・・、１０１−Ｎ）、カード精算機１０２、島コントローラ１０３、貸出処理機１０４、パチンコ台１０５、ルータ１０６、ターミナルコントローラ１０７を含んで構成されている。
【００２６】
カード発行機（１０１−Ａ、・・・、１０１−Ｎ）（以下、総称して「カード発行機１０１」と示す）は、パチンコ店１０に複数台設置され、遊技客が投入した現金の金額に応じた有価価値を価値付けたカードを発行する。なお、デビットカードを用いてデビット決済システム（図示なし）と通信することでデビット決済を行い、デビット決済した金額の有価価値をカードに付加して発行するような構成にしてもよい。
【００２７】
カードには、パチンコ店１０の会員として登録されている遊技客が保持する会員カードと、会員として登録されていない一般の遊技客が保持する非会員カード（以下、「一般カード」という）があり、現金の投入またはデビット決済を行って新規に発行されるカードは一般カードである。会員登録時に発行された会員カードの場合、その会員カードをカード発行機１０１に挿入することで投入された現金の金額に対する有価価値を元々、カードに価値付けられた有価価値に加えて価値付ける追加入金処理が行われる。
【００２８】
一般カード、会員カードいずれのカードにもカードを識別するカードＩＤが記憶されており、カード発行機１０１によるカードの発行の際に新たに価値付けた有価価値の金額とカードＩＤをターミナルコントローラ１０７に送信する。（以下、カードＩＤとそのカードＩＤに対する有価価値をターミナルコントローラ１０７に送信して、ターミナルコントローラ１０７で管理したカードＩＤに対する有価価値を更新することを「価値付ける」と表現する。また、カードＩＤに対する有価価値がターミナルコントローラ１０７で管理されていることを「価値付けられた」と表現する。）
なお、既に発行された一般カードも再利用することが可能であり、この場合、会員カードと同様に投入された現金の金額またはデビット決済金額とカードＩＤとをターミナルコントローラに通知する。
【００２９】
カード精算機１０２は、カードに価値付けられた有価価値を現金に換金する。換金の際にはカードＩＤとともに換金された金額をターミナルコントローラ１０７に通知する。精算後、会員カードの場合には遊技客に返却し、一般カードの場合には遊技客に返却せずに機内に回収する。
【００３０】
島コントローラ１０３は、複数台の貸出処理機１０４と複数台のパチンコ台１０５とから構成された「島」と呼ばれるグループに設置された中継装置である。
【００３１】
通信回線により接続されたターミナルコントローラ１０７へのデータの中継を行う。また、貸出処理機１０４でパチンコ玉を貸し出す際に遊技客により投入された現金を搬送機構（図示無し）によって搬送することで専用の収納庫である島端の回収ボックスに保管する。
【００３２】
貸出処理機１０４は、パチンコ台１０５ごとに設置されており、有価価値が価値付けられたカードのほか現金による利用が可能であって、遊技客により投入された現金の真偽および金額を識別する紙幣識別装置、挿入されたカードを処理するカード処理装置が装備されている。紙幣識別装置で識別した金額またはカード処理装置で読み取ったカード情報に含まれるカードＩＤに対して価値付けられた有価価値に基づいて玉貸しを行う。
【００３３】
また、カード処理装置では、予め有価価値が価値付けられていない一般カード（有価価値が「０（ゼロ）」の状態の一般カード）を収納しておき、投入された現金に対して貸し出したパチンコ玉が少ない場合にその差額分の有価価値を収納された一般カードに価値付けて発行する。カード処理装置は、カードを収納しておく収納部（スタック部ともいう）とカード情報の読み取りを行うカードリーダ部から構成され、読み取ったカード情報のカード種別から一般カードであるか会員カードであるかを判別する。
【００３４】
挿入されたカードが一般カードである場合には、収納部に移動させる。空の状態になったカードリーダ部では、続けて、カードを受け付けることが可能となる。また、挿入されたカードが会員カードである場合には収納部に移動することなく、カードリーダ部に位置した状態で玉貸しにかかる処理を行う。
【００３５】
収納部が一般カードで満杯の状態で新たに一般カードが挿入された場合には、収納部に移動することができないのでエラー報知してその一般カードを自動的に返却する。
【００３６】
収納部が一般カードで満杯の状態にある場合においても収納部に移動することがない会員カードのみを利用可能とする。
【００３７】
このときの貸出処理機１０４の装置構成を図２に示し、ブロック図を図３に示す。
【００３８】
パチンコ台１０５は、パチンコ店１０における遊技機である。遊技機としてパチンコ台に限られるものではなく、遊技媒体にメダルを用いるスロットマシンなどの遊技機を含む。
【００３９】
ルータ１０６は、パチンコ店１０が外部のシステムと通信を行う際のインターフェースであり、公衆回線を介して、例えばデビット決済システムと接続される。
【００４０】
ターミナルコントローラ１０７は、パチンコ店１０全体の処理を管理・制御し、カード発行機１０１、カード精算機１０２、各「島」の島コントローラ１０３、貸出処理機１０４から情報を取得したり、各機器に情報を配信したりする。また、カード発行機１０１や貸出処理機１０４で発行するカードに記憶されたカードＩＤとそのカードＩＤに対する有価価値の金額とを関連付けて管理する。
【００４１】
上記のような構成によって、貸出処理機１０４の収納部に収納された一般カードが満杯であっても会員カードによる遊技機（パチンコ台１０５）の利用が可能となる。
【００４２】
図２は、貸出処理機の装置構成を示す図である。
【００４３】
図２において、図２（ａ）は、貸出処理機の構造を正面から見た図であり、図２（ｂ）は、貸出処理機の内部構造を示した図である。
【００４４】
図２（ａ）には、状態表示ランプ２０１、カードスタック部状態表示ＬＥＤ（Light Emitting Diode：ダイオード）２０２、リモコン受発光部２０３、紙幣投入口２０４、カード挿入口２０５、情報表示ＬＥＤ２０６、モード表示ランプ２０７、操作ボタン２０８、電源部２０９が示されている。
【００４５】
状態表示ランプ２０１は、貸出処理機１０４または併設されたパチンコ台１０５の状態を係員に示すランプである。特に、紙幣投入やカード挿入時のエラー発生を係員に伝える場合に用いられる。さらに、パチンコ台１０５で確率変動などの当りが出た場合には、係員に玉箱を持ってくるように指示するなどといった係員への視覚的な指示を行う。
【００４６】
カードスタック部状態表示ＬＥＤ２０２は、予め収納された一般カードの収納状態を示すＬＥＤである。例えば、スタックされた一般カードがなくなった場合に係員への補充を促したり、満杯になりそうな場合に回収を促したりすることができる。
【００４７】
また、収納部が一般カードで満杯の状態で一般カードが挿入された場合にその旨をエラー表示する。
【００４８】
リモコン受発光部２０３は、係員がリモコンを用いて貸出処理機１０４を操作する際にリモコンからのデータを受信する通信インターフェースである。
【００４９】
紙幣投入口２０４は、併設されたパチンコ台１０５を現金にて利用する際に投入する紙幣の投入口である。紙幣投入口２０４から投入された紙幣は識別され、貸出処理機１０４の背面に設けられた搬送機構を用いて島端の回収ボックスへ搬送され、保管される。
【００５０】
カード挿入口２０５は、カード発行機１０１などで発行された一般カードまたは会員カードを挿入する挿入口である。さらに、カード挿入口２０５から挿入されたカードを処理するカード処理部（図２（ｂ）に示すカード処理部２１１）には、一般カードが収納されており、紙幣投入口２０４から投入された紙幣の金額に対してパチンコ台１０５に貸し出されたパチンコ玉の数に対する金額が少ない場合に、遊技客によって返却ボタンが押下されるとその差額分の有価価値を価値付けた一般カードを排出する。
【００５１】
カード挿入口２０５から会員カードが挿入され、その会員カードに価値付けられた有価価値で貸出可能な玉数に対して、遊技の際に貸し出された玉数が少ない場合にその残りの有価価値で会員カードに価値付けられた有価価値を更新し、カード挿入口２０５より返却する。なお、会員カードに限っては、有価価値を使い切った場合にも返却される。
【００５２】
情報表示ＬＥＤ２０６は、７セグメント表示×３桁からなる表示デバイスであり、モード表示ランプ２０７で選択的に示される情報（主に数値情報）を遊技客に対して表示する。また、貸出処理機１０４やパチンコ台１０５で発生したエラーを特定できるエラーコードを係員に対して表示することも可能である。
【００５３】
さらに、収納部が一般カードで満杯の状態で新たに一般カードが挿入された場合、その旨をエラー表示し、収納部が一般カードで満杯の状態であることを警告することも可能である。
【００５４】
モード表示ランプ２０７は、「残度数」、「総貯玉数」、「再プレイ可能回数」、「ポイント数」の各モードがランプ表示される。
【００５５】
操作ボタン２０８は、遊技客や係員によって操作可能なボタン群を示しており、数字ボタン、リプレイボタン（再Ｐ）、取消ボタン、情報表示ボタンによって構成される。
【００５６】
電源部２０９は、貸出処理機１０４でパチンコ玉の貸出処理などを行うにあたって電源の供給を行う。
【００５７】
このような構成により、パチンコ玉の貸出を行うとともに一般カードの発行や会員カードの更新が行うことができる。
【００５８】
図２（ｂ）には、紙幣識別部２１０、カード処理部２１１、制御部２１２、電源部２０９が示されている。
【００５９】
紙幣識別部２１０は、図２（ａ）に示す紙幣投入口２０４から投入された紙幣の真偽および金額を識別し、貸出処理機の背面に設置された搬送機構を介して島端の回収ボックスに搬送する。識別した紙幣の金額を制御部２１２に通知する。また、正規の紙幣であるかをも識別し、正規の紙幣であると確認できない場合には該紙幣を受け付けることなく遊技客に返却する。
【００６０】
もちろん、搬送機構を用いることなく識別した紙幣を貸出処理機の紙幣格納場所に格納して保管し、係員が個別に回収するような構成にしてもよい。
【００６１】
カード処理部２１１は、図２（ａ）に示すカード挿入口２０５から挿入されたカードに記憶されたデータの読み取りを行うカードリーダ部と、一般カードを収納する収納部から構成される。この収納部は、スタック方式による領域であってＦＩＬＯ（First In Last Out：先入れ後出し方式）でカードの出し入れが行われる。このときのカードリーダ部と収納部の構成を以下の図５〜図７に示す。
【００６２】
カード処理部２１１は、カード挿入口２０５から挿入されたカードに記憶されたカード情報をカードリーダ部で読み取り、カード情報に含まれるカード種別からカードの種類を判別する。また同時に、読み取ったカード情報に含まれるカードＩＤをターミナルコントローラ１０７に送信してそのカードＩＤに対して記憶された有価価値を取得することにより、カードに価値付けられた有価価値の有無を確認する。読み取ったカードが一般カードであって有価価値が価値付けられている場合、読み取ったカード情報に含まれるカードＩＤに対する有価価値を制御部２１２に送信してその一般カードをカードリーダ部から収納部に移動する。
【００６３】
すなわち、カード情報を読み取ったカードリーダ部は空の状態にある。一般カードを収納部に移動させることにより、収納部が満杯の状態（以下、「カードフル状態」という）になった場合であっても読み取ったカードＩＤと取得した有価価値に基づいて玉貸し処理を行う。
【００６４】
また、カードリーダ部で挿入されたカードからカード情報を読み込むことによりカードの種類が会員カードであると判別できた場合には、その会員カードを収納部に移動させることなく、玉貸し処理を行う。なお、カードフル状態である場合においてもカードリーダ部で、会員カードを受け付けて情報を読み取ることができる。
【００６５】
それに対して、挿入された一般カードまたは会員カードに対するカードＩＤに対して有価価値が価値付けられていない場合、会員カードは追加入金の可能性があるためカードリーダ部で保持する。それに対して、一般カードである場合は、さらにカードフル状態であるかによって処理を替える。
【００６６】
カードフル状態である場合には価値の有無に関わらず返却し、カードフル状態でない場合には、収納部に回収して追加入金を可能とする。
【００６７】
すなわち、カードフル状態であっても会員カードに記憶されたカードＩＤに対する有価価値によって玉貸しが可能となる。
【００６８】
制御部２１２は、貸出処理機１０４における主制御を示し、紙幣識別部２１０で識別した紙幣の金額に相当する数の玉貸し処理を行う。また、カード処理部２１１で読み取ったカードＩＤに対する有価価値をターミナルコントローラに問い合わせて取得し、該価値を上限とする玉貸しを行う。
【００６９】
さらに、紙幣識別部２１０での識別結果で正規の紙幣と確認できない場合やカード処理部２１１でカードフル状態において一般カードが挿入された場合などにその旨を示すエラー表示を情報表示ＬＥＤ２０６に表示させる。
【００７０】
このような構成によって、従来では、エラーダウンしてしまうようなカードフル状態であっても、会員カードに限っては継続運用することができ、遊技客の利便性が向上する。また、遊技施設の経営においても効率的な運営が可能になる。
【００７１】
図３は、貸出処理機の詳細な構成を示すブロック図である。
【００７２】
図３の貸出処理機１０４は、リモコン受発光部２０３、情報表示部２０６、操作部２０８、電源部２０９、紙幣識別部２１０、カード処理部２１１、制御部２１２、施錠処理部２１３、記憶部２１４、通信Ｉ／Ｆ部２１５を具備して構成され、さらに、紙幣識別部２１０には、紙幣回収装置２１６が接続され、通信Ｉ／Ｆ部２１５には、島コントローラ１０３、ターミナルコントローラ１０７が接続されている。
【００７３】
制御部２１２は、貸出処理機１０４におけるパチンコ玉の貸し出しやカードの発行、受け付けなどの処理を行う主制御である。図２（ｂ）の制御部２１２に該当する。
【００７４】
紙幣識別部２１０は、紙幣投入口２０４から投入された紙幣の識別を行う。投入された紙幣が示す金額と該紙幣が正規の紙幣であるか否かの識別を行う。正規の紙幣と確認することができない場合には、遊技客に返却する。例えば、投入された紙幣が千円札、二千円札、五千円札、一万円札のいずれかであるかを識別し、識別された投入紙幣の金額を制御部２１２に通知する。
【００７５】
そして、投入された紙幣の金額が制御部２１２に送出されると、接続された紙幣回収装置２１６に搬送機構を用いて紙幣を搬送する。この紙幣回収装置２１６は、先に示した島端の回収ボックス、貸出処理機に設置した紙幣格納場所のいずれかを示している。
【００７６】
カード処理部２１１は、挿入されたカードに記憶されたカード情報を読み取って、そのカード情報に含まれるカード種別からカードの種類を判別する。カードフル状態でない場合であって一般カードであると判別されると、読み取ったカード情報に含まれるカードＩＤを制御部２１２に送信する。カードフル状態であって一般カードと判別されると、カード挿入口からその一般カードを返却する。
【００７７】
また、会員カードである場合、カードフル状態であるか否かを問わず、読み取ったカードＩＤを制御部２１２に送信する。
【００７８】
カード処理部２１１では、読み取りを行ったカードのカードＩＤに対して有価価値を価値付けることができ、カード処理部２１１がカードＩＤと価値付ける有価価値を制御部２１２に転送することによりターミナルコントローラの有価価値を更新する。さらに、一般カードについては搬送ローラによってカードを収納部に移動させて収納する。
【００７９】
施錠処理部７１６は、扉の開閉を検知し、施錠モータによって開閉を行う。解錠を検知すると、誤作動を防止するために特定の機能の動作を停止させる。それに対して、施錠されると図４に示すような処理が開始される。
【００８０】
通信Ｉ／Ｆ部２１５は、データ通信にかかるインターフェースを示し、接続された島コントローラ１０３、ホールコンピュータ１０７などにデータを伝送するとともに、各種データを受け取る機能を有する。
【００８１】
以上、図２、図３に示す図により、遊技客は現金またはカード（会員カード、一般カード）を用いてパチンコ台を利用することが可能となり、カード処理部の収納部がカードフル状態であっても会員カードに価値付けされた有価価値による玉貸し処理を行うことができる。
【００８２】
以上の図１〜図３に示す構成における処理の流れを以下の図４に示す。
【００８３】
図４は、本願発明の貸出処理機のカード処理部における処理の流れを示すフローチャートである。
【００８４】
図４において、まず、遊技施設の開店などにより貸出処理機に電源が投入されたり、貸出処理機本体が枠体にセットされたりすると処理が開始され、カード処理部の収納部に収納された一般カードが満杯のカードフル状態にあるか判断し（Ｓ４０１）、カードフル状態にある場合（Ｓ４０１でＹＥＳ）には、カード挿入口から一般カードが挿入された場合にその一般カードの利用を禁止する一般カード受付禁止設定とする（Ｓ４０２）。
【００８５】
また、収納部に一般カードを収納できる領域があってカードフル状態にない場合（Ｓ４０１でＮＯ）には、続いて、その収納部に少なくとも１枚の一般カードが存在している状態にあるか判断する（Ｓ４０３）。カードが存在する場合（Ｓ４０３でＹＥＳ）には、貸出処理機で玉貸しを可能とするが、カードが１枚も存在しない場合（Ｓ４０３でＮＯ）には、投入された紙幣の金額に対する有価価値に対して貸し出したパチンコ玉の有価価値が少ない場合にその差の有価価値を価値づけることができないため紙幣の投入を禁止する紙幣受付禁止設定とする（Ｓ４０４）。
【００８６】
次に、紙幣の投入されるのではなく（Ｓ４０５でＮＯ）、カード挿入口からカードの挿入される（Ｓ４０６でＹＥＳ）と、挿入されたカードに記憶されたカード情報を読み取る（Ｓ４０７）。
【００８７】
そして、カードに記憶されたカード情報が正常に読み取れたか判断し（Ｓ４０８）、正常に読み取れなかった場合（Ｓ４０８でＮＯ）には、情報表示ＬＥＤ２０６にエラー表示を行って（Ｓ４１９）、挿入されたカードを返却する（Ｓ４１２）。それに対して、正常に読み取りが行われた場合（Ｓ４０８でＹＥＳ）には、読み取った情報からカードの種類を判別して会員カードであるか判断する（Ｓ４０９）。会員カードであると判断された場合（Ｓ４０９でＹＥＳ）には、その会員カードから読み取ったカード情報に含まれるカードＩＤに対する有価価値に相当するパチンコ玉の貸し出しを行う（Ｓ４１０）。
【００８８】
遊技客が有価価値に相当するパチンコ玉の貸し出しを受けて遊技を終了後、カード返却ボタンを押下するなどしてカードの返却が指示されると（Ｓ４１１でＹＥＳ）、挿入時のカードに価値付けられていた有価価値から玉貸しが行われた有価価値を差し引いた残りの有価価値を会員カードのカードＩＤに価値付けてカードを返却する（Ｓ４１２）。この際、価値付ける有価価値が残っていない場合にもカードの有価価値を「０（ゼロ）」として価値付けてからカードを返却する。
【００８９】
上記する挿入されたカードが会員カードであるかの判断（Ｓ４０９）において、会員カードでないと判断された場合（Ｓ４０９でＮＯ）には、続いて、その挿入されたカードが一般カードであるかの判断を行う（Ｓ４１３）。この判断（Ｓ４１３）で一般カードでないと判断された場合（Ｓ４１３でＮＯ）、例えば、クレジットカードや銀行カードなどの遊技システムの利用に際して全く関係のないカードが挿入されたと判断された場合、カードが認識されない旨を情報表示ＬＥＤ２０６に表示して（Ｓ４１９）、挿入されたカードを返却する（Ｓ４１２）。
【００９０】
また、一般カードであると判断された場合（Ｓ４１３でＹＥＳ）には、一般カードの受け付けを禁止する一般カード受付禁止設定になっていないか判断する（Ｓ４１４）。これは、上記ステップ４０２に示す収納部に収納された一般カードがカードフル状態にある場合に一般カード受付禁止設定とする処理から判断される。一般カード受付禁止設定が設定されている場合（Ｓ４１４でＹＥＳ）には、その旨を情報表示ＬＥＤ２０６に表示して（Ｓ４１９）、挿入された一般カードを返却する（Ｓ４１２）。
【００９１】
また、一般カード受付禁止設定に設定されていない場合（Ｓ４１４でＮＯ）には、挿入された一般カードを収納部に移動する（Ｓ４１５）。続いて、読み取ったカードＩＤと有価価値に基づき玉貸しが行われる（Ｓ４１６）。貸し出されたパチンコ玉を用いてパチンコ台の利用が終了するなどしてカード返却ボタンなどが押下されることにより、返却指示が行われると（Ｓ４１７でＹＥＳ）、有価価値の残りがあるか判断し（Ｓ４１８）、残りがある場合（Ｓ４１８でＹＥＳ）には、収納部に移動した一般カードをカードリーダ部に移動してその残りの有価価値を一般カードのカードＩＤに対して価値付けて返却する（Ｓ４１２）。
【００９２】
そして、カードが挿入された場合でなく、紙幣投入口から紙幣が投入されたと判断する（Ｓ４０５でＹＥＳ）と、紙幣の受け付けを禁止する紙幣受付禁止設定になっていないか判断する（Ｓ４２０）。これは、上記ステップ４０４に示す収納部に収納された一般カードが一枚も存在しない場合に紙幣の受け付けを禁止する紙幣受付禁止設定の処理から判断される。
【００９３】
紙幣の受付禁止設定になっていない場合（Ｓ４２０でＮＯ）には、続いて、投入された紙幣が正規の紙幣であるか判断する（Ｓ４２１）。紙幣受付禁止設定がされている場合（Ｓ４２０でＹＥＳ）、投入された紙幣の正規の紙幣であると判断されない場合（Ｓ４２１でＮＯ）のいずれの場合には、投入された紙幣を返却する処理を行う（Ｓ４２２）。
【００９４】
それに対して、投入された紙幣が正規の紙幣であると判断された場合（Ｓ４２１でＹＥＳ）には、投入された紙幣の金額に対する有価価値のうち貸出単位「度数」に基づいて玉貸しが行われる（Ｓ４２３）。例えば、投入された紙幣が３千円である場合、その紙幣の金額に対する有価価値が「３０度数」であり、予め設定された貸出度数（例として「５度数」）に相当するパチンコ玉の数が一度に貸し出される。
【００９５】
遊技客により玉貸しの処理を終了する旨の指示が行われると、その時点での有価価値に残価値があるか判断され（Ｓ４２４）、投入された紙幣に対する有価価値を全て使い切ってしまったなどにより有価価値の残価値が「０（ゼロ）」であると判断される（Ｓ４２４でＮＯ）と、処理を終了する。
【００９６】
それに対して、残価値が存在する状態で遊技を終了する旨の指示が行われると、その残価値の返却指示が行われたか判断し（Ｓ４２５）、返却指示がない場合（Ｓ４２５でＮＯ）には、その残価値に相当する玉貸し処理が継続して行われる（Ｓ４２３）。残価値の返却が指示された場合（Ｓ４２５でＹＥＳ）には、収納部に収納されている一般カードを図６に示すカードリーダ部に移動後、その残価値の有価価値をその一般カードに価値付けて返却する（Ｓ４２６）。
【００９７】
このような処理フローにより、収納部に収納された一般カードがカードフル状態であっても会員カードに価値付けられた有価価値による玉貸しや、紙幣による玉貸しが可能になる。
【００９８】
なお、収納部がカードフル情報になった場合であっても、その後、紙幣による玉貸しが行われ、残価値が一般カードに価値付けられて返却されると、カードフル状態は解除される。
【００９９】
図５は、貸出処理機に含まれるカード処理装置全体の構成を示す図である。
【０１００】
図５では、図２に示すカード処理部２１１が構成するカード処理装置５００を示しており、収納部５０１、カードリーダ部５０２から構成される。また、カード処理装置５００にはカード挿入口２０５が設けられており、このカード挿入口２０５から挿入されたカードを処理する。
【０１０１】
遊技客が有価価値の価値付けられたカードをカード挿入口２０５より挿入すると、搬送ローラによってカードリーダ部５０２に搬送される。そして、カードリーダ部５０２では、カードに記憶されたカード情報の読み取りを行う。そのカード情報に含まれるカードの種類を識別するカード種別から挿入されたカードが会員カードであると判断された場合には、収納部５０１の搬送することなくカードリーダ部５０２に停止させた状態で玉貸しにかかる処理を図２に示す制御部２１２に指示する。
【０１０２】
それに対して、一般カードであると判断された場合には、収納部５０１に収納された一般カードの収納状態を確認してカードフル状態にない場合にのみ搬送ローラによってその一般カードを収納部５０１に搬送して玉貸しにかかる処理を図２に示す制御部２１２に指示する。カードフル状態にある場合には、挿入された一般カードをカード挿入口２０５より返却する。
【０１０３】
収納部５０１では、有価価値が価値付けられていない初期状態の一般カードが収納されている。収納可能な枚数は限られており、装置全体の構造から通常１０枚程度が収納可能である。
【０１０４】
図２に示す制御部２１２から一般カードへの有価価値の更新が指示されると、収納部５０１に収納された一般カードのうち最後に収納された一般カードをカードリーダ部５０２に移動させる。カードリーダ部５０２でそのカードのカード情報を読み取り、カード情報に含まれるカードＩＤに対する有価価値の価値付けを行う。その後、カード挿入口２０５からカードを返却する。
【０１０５】
以上の構成において、一般カードに価値付けられた有価価値に対する玉貸しが行われる際には、一般カードは収納部５０１に収納されており、カードリーダ部５０２は空の状態にある。
【０１０６】
また、収納部５０１に収納された一般カードがカードフル状態であっても会員カードを受け付けることができ、その会員カードに価値付けられた有価価値によって玉貸しが可能である。
【０１０７】
図６は、カード処理装置の側面を参照してカード挿入時のカードの状態を示した図である。
【０１０８】
図６において、カード挿入口２０５からカードが挿入されると、図５に示すカードリーダ部５０２に搬送され、このカードリーダ部５０２に装備されたカード識別モジュール６０１によってカードの種類を識別する。
【０１０９】
次に、各条件におけるカード状態を示す。
【０１１０】
カード処理機５００に挿入される前のカードの状態を「カード状態Ａ」とし、カードリーダ部５０２でカード情報の読み取りを行うことができる状態を「カード状態Ｂ」とし、収納部５０１で収納された状態を「カード状態Ｃ」とする。
【０１１１】
（条件１）挿入されるカードが会員カードであって収納部がカードフル状態にない場合
カード状態Ａにある会員カードがカード状態Ｂに遷移すると、会員カードに記憶されたカード情報が読み取られカード状態Ｂのまま、その読み取った情報を基に玉貸しの処理を行う。遊技終了時に残有価価値が存在する場合には、カード状態Ｂにある会員カードにその有価価値を価値付けてカード状態Ａに遷移する。残価値がなければ、価値「０（ゼロ）」を価値付けて返却する。
【０１１２】
（条件２）挿入されるカードが会員カードであって収納部がカードフル状態である場合
（条件１）に示す処理と同様
（条件３）挿入されるカードが一般カードであって収納部がカードフル状態にない場合
カード状態Ａにある一般カードがカード状態Ｂに遷移すると、その一般カードに記憶されたカード情報が読み取られ、カード状態Ｃに遷移する。読み取ったカード情報に基づいてターミナルコントローラから価値情報が呼び出され、該価値を使って玉貸し処理が行われ、価値情報は随時減算される。価値を使い切った場合は、カード状態Ｃのまま終了する。遊技終了時に残有価価値が存在する場合はカード状態Ｃからカード状態Ｂにカードを遷移させ、カード状態Ｂでその有価価値を遷移させた一般カードに価値付けてカード状態Ａに遷移する。
【０１１３】
（条件４）挿入されるカードが一般カードであって収納部がカードフル状態である場合
カード状態Ａにある一般カードがカード状態Ｂに遷移すると、その一般カードに記憶された情報が読み取られ、カードの種類を識別する情報から一般カードで識別される。処理を行うことなく、カード状態Ｂからカード状態Ａへと遷移する。
【０１１４】
図７は、カード処理装置を真上から参照してカード挿入時のカードの状態を示す図である。
【０１１５】
図７には、収納部５０１に最後に収納されたカード７０１、カードリーダ部５０２のカード７０２、カードを搬送する搬送ローラ７０３、収納部５０１に予め収納された一般カード７０４が示されている。
【０１１６】
なお、予め収納された一般カード７０４と収納部５０１に最後に収納されたカード７０１によってカードフル状態にある場合、カードリーダ部５０２のカード７０２の状態で玉貸しが行われるのは、カードリーダ部５０２のカード７０２が会員カードである場合に限られる。
【０１１７】
以上の図５〜図７に示すような装置構成によって、収納部５０１がカードフル状態であっても会員カードによる玉貸しが可能となる。
【０１１８】
以上の処理によって、本発明の貸出処理機では、挿入された一般カードからカード情報をカードリーダ部で読み取り後、収納部に移動させてそのカード情報に基づいて玉貸し処理を行うことができる。また、会員カードが挿入された場合にはカードリーダ部で情報を読み取り後、収納部に移動させることなく玉貸し処理を行うことができる。
【０１１９】
これによって、一般カードによる玉貸し時にカードリーダ部のスペースが空き状態になり他のカードを続けて挿入することが可能になる。このとき収納部がカードフル状態であってもカードリーダ部でのみ処理可能な会員カードの利用が可能となる。
【０１２０】
従って、本発明を適用することにより、収納部のカードが満杯になった場合であっても継続して玉貸しが可能となり、遊技客の利便性が向上するという効果とともに遊技機を提供する経営者にとっても遊技機の稼働率が向上することによる売上の増加が見込めるという効果を期待できる。
【０１２１】
本発明は、上記し、且つ図面に示す実施例に限定することなく、その要旨を変更しない範囲内で適宜変形して実施できるものである。例えば、上記実施例においては、カード形状の記録媒体を採用したが、ＩＣコイン等の別形状の記録媒体を採用してもよい。
【産業上の利用可能性】
【０１２２】
本発明は、カードに価値付けられた有価価値に基づいて遊技媒体の貸し出しを行う記録媒体処理装置および記録媒体処理方法に適用可能であり、特に、収納されたカードが満杯の状態であってもカードの種類によって遊技媒体の貸し出しを行うことができる。
【図面の簡単な説明】
【０１２３】
【図１】この発明に係わる記録媒体処理装置および記録媒体処理方法を適用して構成した遊技媒体貸出システムのシステム構成図。
【図２】貸出処理機の装置構成を示す図。
【図３】貸出処理機の詳細な構成を示すブロック図。
【図４】本願発明の貸出処理機のカード処理部における処理の流れを示すフローチャート。
【図５】貸出処理機に含まれるカード処理装置全体の構成を示す図。
【図６】カード処理装置の側面を参照してカード挿入時のカードの状態を示した図。
【図７】カード処理装置を真上から参照してカード挿入時のカードの状態を示す図。
【符号の説明】
【０１２４】
１０１      カード発行機
１０２      カード精算機
１０３      島コントローラ
１０４      貸出処理機
１０５      パチンコ台
１０６      ルータ
１０７      ターミナルコントローラ（カード管理装置）
２０１      状態表示ランプ
２０２      カードスタック部状態表示ＬＥＤ
２０３      リモコン受発光部
２０４      紙幣投入口
２０５      カード挿入口
２０６      情報表示ＬＥＤ
２０７      モード表示ランプ
２０８      操作ボタン
２０９      電源部
２１０      紙幣識別部
２１１      カード処理部
２１２      制御部
２１３      施錠処理部
２１４      記憶部
２１５      通信Ｉ／Ｆ部
２１６      紙幣回収装置
【図１】
2007037702.tif 000003
【図２】
2007037702.tif 000004
【図３】
2007037702.tif 000005
【図４】
2007037702.tif 000006
【図５】
2007037702.tif 000007
【図６】
2007037702.tif 000008
【図７】
2007037702.tif 000009